(57)【要約】【課題】  本発明は、従来のように筆記具と紙を用いて、何度も消したり、紙が破けたりしながら煩雑な作業でパズルを解いていくやり方でなく、また、コンピュターを使うやり方でもなく、筆記具も紙もコンピュターも用いず、パズル盤と数字棒を解具として用い、碁のような格調を備えた数独パズル解具を提供する。【解決手段】左右見開きの箱型ケースの中に、数独パズル盤、再数字戻し盤、指定数字盤と解答数字盤及びそれらのスペア盤を左右に振り分けて設置し、盤上に蜂の巣様の約１ｃｍ程の深さを持った桝目のブロックを形設し、指定数字棒及び解答数字棒をそのとき該当する桝目に抜き差しする形で、パズルを解いて行く解具となるが、非使用時には数字棒が抜け落ちないようにパズル盤止め蓋を装着し、使用時にはその蓋はケース外側に仮収納しておくことを特徴とする数独パズル解具。【選択図】図１
2014184100.tif 000002
【特許請求の範囲】
【請求項１】
ゲーム用具の全てがその中にセットされるのが、箱型の開閉見開き式の数独パズル設置ケースであるが、このケースを平面に見開き置いた状態において、連続した同一平面の中央分離スペースを境に、均等に左右に分離独立した形で、短手辺の一方を除く周囲三方を縁取るように壁を立てて、それぞれ独立の部屋に形成し、それぞれの部屋の長手辺の両壁の上端縁近くの内側に、壁の上端縁に平行に壁のない短手辺側を入り口として、対向する短手辺の壁までの長さで浅い溝を形設して、盤止め蓋装着溝を設け、そこにパズル盤止め蓋をスライド挿入装着する形になるが、このそれぞれの部屋の底床面の真裏側に、少し厚めの底板を設置し、盤止め蓋装着溝と対称的で、且つ長さ（奥行き）だけが最奥側に、少し短い（浅い）溝・即ち盤止め蓋仮収納溝を蓋止め板を設けて形設し、ゲームで使用時に、盤止め蓋装着溝から抜き外したパズル盤止め蓋を、一時的にそこに挿入し、次に抜き外す際に確実に摘み取ることができるように、少し外にはみ出させた形で仮収納しておくための場所となるのであって、更に、左右に分離独立的に形成された二つの部屋においては、一方の部屋は、二つの独立領域に分かれており、１つの領域は、１個が１ｃｍ３の桝目を、各桝目相互間隔は５ｍｍ程で、縦９列・横９列の正方形状に配設し、この９×９を１つのブロックとして太線で枠囲いし、更にこの囲い枠内を、３×３を１小ブロックとする均等な９つの小ブロックに太線で枠仕切りして、数独パズル盤と成し、もう１つの領域は、同様の桝目を、縦８列・横９列に配設し、囲い枠外に縦に１〜８・横に１〜９の数字を印し、再数字戻し盤となすが、他方の部屋は、一方の部屋と同様の桝目状に形成される異なる３つの独立領域（先方域、中間域、手前域）にわけられ、縦に配列されており、先方域は縦５列・横９列の桝目を配設し、囲い枠外に縦に１〜５・横に１〜９の数字を印して指定数字盤を成し、中間域は縦９列・横９列の桝目を配設し、囲い枠外に縦・横それぞれ１〜９の数字を印して解答数字盤を成し、手前域は縦２列・横９列の桝目を配設し、上下各一列を指定数字スペア盤と解答数字スペア盤として分かち合う形であり、上記の全ての桝目は上方に開口した竪穴状に形成され、ゲーム中は、この竪穴に指定数字棒や解答数字棒等の数字棒がスムースに差し込み立てられ、あるいは抜き外しされるのであって、これらの数字棒は、高さ約２ｃｍ程（即ち桝目の深さの約２倍）一辺が約９ｍｍ程（即ち桝目より僅かに小サイズ）の角柱状を成し、天頂面に１〜９のいずれかの数字が印され、９の右下にドット印しが付いてあるという点においては全て共通しているが、数字（もしくは天頂面の背景色）の色分けによって指定数字棒と解答数字棒とに区別され、指定数字盤及び指定数字スペア盤にセットされるのは指定数字棒のみであり、解答数字盤及び解答数字スペア盤にセットされるのは解答数字棒のみであって、内部にこのような構成を設置して、平面に見開き置いた状態で使用されたケースは、非使用時には左右が閉じ重ねられるのであるが、開閉し合う側の一方の縁片は、他方の縁片に覆い重なりつつ、他方の差込み蓋受け止め帯に差込み止める差込み蓋の形となっていることを特徴とする数独パズル解具。
【発明の詳細な説明】
【技術分野】
【０００１】  本発明は、碁における碁方のように、一種の遊具を用いる数独パズル解具に関するものである。
【背景技術】
【０００２】  従来、数独パズルの解答を求める際は紙面上に筆記用具を用いて解いて行くやり方であった。
コンピューター等を使用して行なうものもある（特許文献１参照）。
また、盤本体と数字と漢字の書かれた駒を用いて行なうものもある（特許文献２参照）。
【先行技術文献】
【特許文献】
【０００３】
【特許文献１】特開２００７−１９５８００号公報
【特許文献２】登録実用新案第３１６２５８０号公報
【発明の概要】
【発明が解決しようとする課題】
【０００４】  これは次のような欠点があった。
（イ）従来、筆記用具、消しゴム等が無いと解答を導き出すことが困難であった。
（ロ）書いた数字が間違っていた時、何回も消しゴムで消して、書き直しをしなければな      らなかった。
（ハ）何回も消しゴムを用いていると紙面が破れることがあった。
（ニ）数独パズルを行なうのは主として大人であった。
（ホ）病院でもリハビリのために行はれているが、筆記用具、消しゴム等を用いて行なう      のは不向きである。
（ヘ）コンピューター等で行なうのはゲーム場所を限定される場合がある。
本発明は、以上のような問題点を解決するためになされたものである。
【課題を解決するための手段】
【０００５】  ゲーム用具の全てがその中にセットされるのが、箱型の開閉見開き式の数独パズル設置ケースであるが、このケースを平面に見開き置いた状態において、連続した同一平面の中央分離スペースを境に、均等に左右に分離独立した形で、短手辺の一方を除く周囲三方を縁取るように壁を立てて、それぞれ独立の部屋に形成する。それぞれの部屋の長手辺の両壁の上端縁近くの内側に、壁の上端縁に平行に、壁のない短手辺の壁までの長さで浅い溝を形設して、盤止め蓋装着溝を設け、そこにパズル盤止め蓋をスライド挿入装着する。又、このそれぞれの部屋の底床面の真裏側に、少し厚めの底板を設置し、盤止め蓋装着溝と対称的で、且つ長さ（奥行き）だけが最奥側に、少し短い（浅い）溝・即ち盤止め蓋仮収納溝を、蓋止め板を設けて形設し、ゲームで使用時に、盤止め蓋装着溝から抜き外したパズル盤止め蓋を、一時的にそこに挿入し、次に抜き外す際に確実に摘み取ることができるように、少し外にはみ出させた形で仮収納しておくための場所となる。
左右に分離独立的に形成された二つの部屋において、一方の部屋は、二つの独立領域に分かれる。一つの領域は、１個が１ｃｍ３の桝目を各桝目相互間隔５ｍｍ程で、縦９列・横９列の正方形状に配設し、この９×９を１つのブロックとして太線で枠囲いし、更にこの囲い枠内を、３×３を１小ブロックとする均等な９つの小ブロックに太線で枠仕切りして、数独パズル盤と成す。もう１つの領域は、同様の桝目を、縦８列・横９列に配設し、囲い枠外に縦に１〜８・横に１〜９の数字を印し、再数字戻し盤と成す。
他方の部屋は、一方の部屋と同様の桝目状に形成される異なる３つの独立領域（先方域、中間域，手前域）に分けられ、縦に配列される。先方域は縦５列・横９列の桝目を配設し、囲い枠外に縦に１〜５・横に１〜９の数字を印して指定数字盤を成し、中間域は縦９列・横９列の桝目を配設し、囲い枠外に縦・横それぞれ１〜９の数字を印して解答数字盤を成し、手前域は縦２列・横９列の桝目を配設し、上下各一列を指定数字スペア盤と解答数字スペア盤として分かち合う。
上記の全ての桝目は上方に開口した竪穴状に形成され、ゲーム中は、この竪穴に指定数字棒や解答数字棒等の数字棒がスムースに差込み立てられ、あるいは抜き外しされるのである。
これらの数字棒は、高さ約２ｃｍ程（即ち桝目の深さの約２倍）一辺が９ｍｍ程（即ち桝目より僅かに小サイズ）の角柱状を成し、天頂面に１〜９のいずれかの数字が印され、９の右下にドット印しが付してあるという点においては全て共通しているが、数字（もしくは天頂面の背景色）の色分けによって指定数字棒と解答数字棒とに区別され、指定数字盤および指定数字スペア盤にセットされるのは指定数字棒のみであり、解答数字盤および解答数字スペア盤にセットされるのは解答数字棒のみである。
内部にこのような構成を設置して、平面に見開き置いた状態で使用されたケースは非使用時には左右が、ケース収納折り込み線に沿って閉じ重ねられるのであるが、開閉し合う側の一方の縁片は、他方の縁片に覆い重なりつつ、他方の差込み蓋受け止め帯に差込み止める差込み蓋の形となっている。
本発明は、以上の構成よりなる数独パズル解具である。
【発明の効果】
【０００６】（イ）筆記用具、消しゴム等が不要になる。
（ロ）問題の解答を消しゴムを使わずに何回でも繰り返して行なうことが出来る
（ハ）紙面上で行なうより、器具を用いて行なう事により、立体的に手で目で頭で解答を      導き出せる。
（ニ）ゲームとして子供も楽しむ事が出来る。
（ホ）今、病院のリハビリで数独パズルを用いている所もあるが、数字を自分の手で動か      す事でリハビリ効果も期待できる。
（ヘ）携帯も出来、いつでも、何処でもゲームを楽しむ事が出来る。
【図面の簡単な説明】
【０００７】
【図１】  本発明の使用開始可能な状態を示す平面図。
【図２】  本発明の図１の状態に左右それぞれ蓋を装した状態を表す平面図。
【図３】  本発明を使用する際に、パズル盤止め蓋が蓋仮収納溝に収められて、蓋止め板に突き当たっている状態を底板を取り除いて見せた底面図。
【図４】  本発明の一部である指定及び解答数字棒の形状例を示す斜視図。
【図５】  本発明の収納時において、差し込み蓋を差し込み蓋受け止め帯に差し込んだ状態を示す斜視図。
【発明を実施するための形態】
【０００８】    以下、本発明の実施をするための形態について説明する。
ゲーム用具の全てがその中にセットされるのが、箱型の開閉見開き式の数独パズル設置ケース（１）であるが、このケースを平面に見開き置いた状態において、連続した同一平面の中央分離スペース（１８）を境に、均等に左右に分離独立した形で、短手辺の一方を除く周囲三方を縁取るように壁を立てて、それぞれ独立の部屋を形成する。それぞれの部屋の長手辺の両壁の上端縁近くの内側に、壁の上端縁に平行に、壁のない短手側を入口として、対向する短手辺の壁までの長さで浅い溝を形設して、盤止め蓋装着溝（１１）を設け、そこにパズル盤止め蓋（１０）をスライド挿入装着する。又、このそれぞれの部屋の底床面の真裏側に、少し厚めの底板（１３）を設置し、盤止め蓋装着溝（１１）と対称的で、且つ長さ（奥行き）だけが最奥側で少し短い（浅い）溝・即ち盤止め蓋仮収納溝（１２）を蓋止め板（１４）を設けて形設し、ゲームで使用時に、盤止め蓋装着溝（１１から抜き外したパズル盤止め蓋（１０）を一時的にそこに挿入し、次に抜き外す際に確実に摘み取ることができるように、少し外にはみ出させた形で仮収納しておくための場所となる。
左右に分離独立的に形成された二つの部屋において、一方の部屋は、二つの独立領域にわかれる。１つの領域は、１個が１ｃｍ３の桝目（１９）を各桝目（１９）相互間隔５ｍｍ程で、縦９列・横９列の正方形状に配設し、この９×９を１つのブロックとして太線で枠囲いし、更にこの囲い枠内を、３×３を１小ブロックとする均等な９つの小ブロックに太線で枠仕切りして、数独パズル盤（２）と成す。
もう１つの領域は、同様の桝目（１９）を、縦８列・横９列に配設し、囲い枠外に縦に１〜８・横に１〜９の数字を印し、再数字戻し盤（３）と成す。
他方の部屋は、一方の部屋と同様の桝目（１９）状に形成される異なる３つの独立領域（先方域、中間域、手前域）に分けられ、縦に配列される。先方域は縦５列・横９列の桝目（１９）を配設し、囲い枠外に縦に１〜５・横に１〜９の数字を印して指定数字盤（４）を成し、中間域は縦９列・横９列の桝目（１９）を配設し、囲い枠外に縦・横それぞれ１〜９の数字を印して解答数字盤（５）を成し、手前域は縦２列・横９列の桝目（１９）を配設し、上下各一列を指定数字スペア盤（６）と解答数字スペア盤（７）として分ち合う。
上記の全ての桝目（１９）は上方に開口した竪穴状に形成され、ゲーム中は、この竪穴に指定数字棒（８）や解答数字棒（９）等の数字棒がスムースに差込み立てられ、あるいは抜き外しされるのである。
これらの数字棒は、高さ約２ｃｍ程（即ち桝目の深さの約２倍）１辺が９ｍｍ程、即ち桝目（１９）より僅かに小サイズの角柱状を成し、天頂面に１〜９のいずれかの数字が印され、９の右下にドット印が付してあるという点においては全て共通しているが、数字（もしくは天頂面の背景色）の色分けによって指定数字棒（８）と解答数字棒（９）とに区別され、指定数字盤（４）及び指定数字スペア盤（６）にセットされるのは指定数字棒（８）のみであり、解答数字盤（５）及び解答数字スペア盤（７）にセットされるのは、解答数字棒（９）のみである。
内部にこのような構成を設置して、平面に見開き置いた状態で使用されたケースは、非使用時には左右が、ケース収納折り込み線（１７）に沿って閉じ重ねられるのであるが、開閉し合う側の一方の縁片は、他方の縁片に覆い重なりつつ、他方の差込み蓋受け止め帯（１６）に差込み止める、差込み蓋（１５）を入れる形となっている。
尚、左右の部屋は、右利き、左利きに寄って置き換えても支障は無い。
また、このパズルはこの桝目数だけに限られて居るものでは無くもっと桝目数が増えて行くものもあるが、この桝目数（９×９）が一般的に楽しめる桝目数と思われる。
本発明は、以上のような構成である。以下、具体的な使用例を説明する。
本発明を使用開始する時は、まず、数独パズル設置ケース（１）の裏側に，差込み蓋受け止め帯（１６）に挟まれ収納されている差込み蓋（１５）を引き抜き、数独パズル設置ケース（１）を左右に開き設置されているパズル盤止め蓋（１０）を盤止め蓋装着溝（１１）より引き抜き数独パズル設置ケース（１）の底に設けてある盤止め蓋仮収納溝（１２）に挿入仮収納する。次に問題の｛数独パズル｝に記載（指定）されている数字を、色分けされ数字盤にセットされている数字棒、例えば、指定数字棒（８）の数字の印色は黒、解答数字棒（９）の数字の印色を赤とした場合は、先方域の指定数字盤（４）より数字棒（黒）を抜き取り、数独パズル盤（２）へ問題の数独パズルに合わせて差込む。記載（指定）されている数字棒（黒）を全て差し込み終了したら、問題の数独パズルと確認を行い、次に中間域の解答数字盤（５）より自分が解答して行きたい任意の（１〜９）数字棒（赤）を解答数字盤（５）より抜き取り、数独パズル盤（２）の９×９の縦・横の各桝目と３×３の９個の各桝目に１〜９の数字を１コずつ縦列・横列に重複しないように入れて解いていき、解答を導き出したら、問題の数独パズル表に数字を書き込んで終了でするが、もし解答が不明の時は、（赤の）解答数字棒（９）のみを全部、又は、必要と思われる数字棒を、数独パズル盤（２）より再数字戻し盤（３）に戻し再考する。
又、縦５列の（黒の）指定数字盤（４）から数独パズル盤（２）に何個の数字棒が使われたか、残っている数字棒の数で分かり、（赤の）解答数字盤（５）から何個の数字棒を使えば良いかが分かり解答を考察する参考となる。
ゲームが終了したら盤止め蓋仮収納溝（１２）からパズル盤止め蓋（１０）を引き抜き、盤止め蓋装着溝（１１）に挿入収納し、数独パズル設置ケース（１）をケース収納折り込み線（１７）に沿って左右を重ねて畳み、差込み蓋受け止め帯（１６）に差込み蓋（１５）を挿入して収納する。
尚、左右の部屋は、右利き、左利きによって置き換えても支障は無い。
又、このパズルは、この桝目数だけに限られて居るものでは無くもっと桝目数が増えて行くものもあるが、この桝目数（９×９）が一般的には楽しめる桝目数と思われる。
【符号の説明】
【０００９】  １  数独パズル設置ケース
２  数独パズル盤
３  再数字戻し盤
４  指定数字盤
５  解答数字盤
６  指定数字スペア盤
７  解答数字スペア盤
８  指定数字棒
９  解答数字棒
１０  パズル盤止め蓋
１１  盤止め蓋装着溝
１２  盤止め蓋仮収納溝
１３  底板
１４  蓋止め板
１５  差込み蓋
１６  差込み蓋受け止め帯
１７  ケース収納折り込み線
１８  中央分離スペース
１９  桝目（１個・１ｃｍ３）
【図１】
2014184100.tif 000003
【図２】
2014184100.tif 000004
【図３】
2014184100.tif 000005
【図４】
2014184100.tif 000006
【図５】
2014184100.tif 000007